(57)【要約】【課題】比較的安価でシンプルな構成で、簡便な操作で使用できる、使い勝手の良い水栓金具を提供することを目的とする。【解決手段】水接続脚および湯接続脚と、水接続脚および湯接続脚に接続された本体と、その一端に配置されて本体内部に流入する湯と水とを所望の温度に混合するための温調機構部と、温調機構部で混合された湯水混合水を吐出するためのシャワーホースおよび手持ち式シャワーヘッドを有する、浴室用の水栓金具において、本体のもう一端に前記シャワーヘッドを係止するための保持部を有し、且つ、前記保持部は、本体に対して回動可能に連結され、シャワーヘッドを概垂直位置から概水平位置まで所望の位置に調節できるようにしたことを特徴とする水栓金具とした。【選択図】　図１
2004131976.tif 000002
【特許請求の範囲】
【請求項１】
水接続脚および湯接続脚と、水接続脚および湯接続脚に接続された本体と、その一端に配置されて本体内部に流入する湯と水とを所望の温度に混合するための温調機構部と、温調機構部で混合された湯水混合水を吐出するためのシャワーホースおよび手持ち式シャワーヘッドを有する、浴室用の水栓金具において、
本体のもう一端に前記シャワーヘッドを係止するための保持部を有し、且つ、前記保持部は、本体に対して回動可能に連結され、シャワーヘッドを概垂直位置から概水平位置まで所望の位置に調節できるようにしたことを特徴とする水栓金具。
【請求項２】
前記シャワーヘッドは、湯水混合水の流路を備えた保持部と、保持部の流路に連通された複数の散水孔を側面に有する散水部と、保持部と散水部の間に設けた開閉弁と、この開閉弁を操作する押ボタンとを備えたシャワーヘッドであって、散水部の一端部に開閉弁を介在させて保持部を接続されており，散水部の他端部に押ボタンを設け、さらにこの押ボタンに連動して動き、開閉弁の開閉作動を行う軸を散水部内に配置したことを特徴とする請求項１に記載の水栓金具。
【請求項３】
前記開閉弁は、弁体と、この弁体が着座または離座する弁座とこの弁体を弁座に着座する方向に付勢する弾性体と、を備え、
この弁体が散水部側に向きさらに弾性体によって付勢されて配置され、
さらに、前記押ボタンを押すことで、前記軸が弾性体の付勢力に打ち勝って弁体を押して弁体を弁座から離座させて通水開口を開とし、再度押ボタンを押すことで、軸によって弁体を押す力を解除して弾性体の付勢力によって弁体を弁座に着座させて通水開口を閉とすることを特徴とする請求項２に記載の水栓金具。
【請求項４】
前記軸は、押ボタン側に配置される上側軸と開閉弁側に配置される下側軸とを螺合結合して構成され、
さらに、上側軸は押ボタンに連動され、押ボタンを押すことによって生じる上下運動と押ボタンを回転させることによって生じる回転運動とに連動するとともに、
下側軸は、上側軸の上下運動のみに連動することを特徴とする請求項２または３に記載の水栓金具。
【請求項５】
シャワーヘッドは、湯水混合水の流路を備えた保持部と、保持部の流路に連通された複数の散水孔を側面に有する散水部と、保持部と散水部の間に設けた開閉弁と、この開閉弁を操作する開閉ツマミとを備えたシャワーヘッドであって、散水部の一端部に開閉弁を介在させて保持部を接続されており，散水部の他端部に開閉ツマミを設け、さらにこの開閉ツマミに連動して動き、開閉弁の開閉作動を行う軸を散水部内に配置したことを特徴とする請求項１に記載の水栓金具。
【請求項６】
前記開閉弁は、弁体と、この弁体が着座または離座する弁座と、前記開閉ツマミを備え、更に前記開閉ツマミには一体状に前記軸が設けられ、軸と弁体とを螺合結合し、開閉ツマミを回動させることによって生じる回転運動を、弁座を弁体に着座あるいは離座させる上下運動に変換し、通水開閉口を開閉させることを特徴とする請求項５に記載の水栓金具。
【請求項７】
前記保持部を、本体に対して回動可能に連結し、シャワーヘッドを保持部へ係止したまま、概垂直位置から概水平位置まで所望の位置に調節できることで、シャワーヘッドを洗い桶等への水汲み等にも使用できるようにしたことを特徴とする請求項１至６のいずれか１つに記載の水栓金具。
【発明の詳細な説明】
【０００１】
【発明の属する技術分野】
本発明は、浴室にて使用されるシャワー吐水装置を備えた水栓金具に関する。
【０００２】
【従来の技術】
一般的な水栓金具として、すでに図１０に挙げられる例が広く知られている。水接続脚２１ａおよび湯接続脚２１ｂと、水接続脚および湯接続脚に接続された本体２２と、本体の一方には湯水を混合し所望の温度に調節するための温調機構部２３と、本体のもう一方に配置され、温調機構部で混合された湯水混合水をカラン吐水あるいはシャワー吐水として選択吐水し、その吐出量を調節するための吐水切替部２４を有し、本体の中央部よりカラン２５、および、シャワーホース２６ａを介してシャワーヘッド２６ｂが接続されている
また、シャワーヘッドを係止させ、所望の取付高さ、たとえば立位または座位にてシャワーを浴びることの出来るよう、通常２個のシャワーハンガー２７ａ，２７ｂが付属され、浴室内の壁面の上下に、いずれも取付螺子等にて固定されている。
図１１に示すように、前記シャワーヘッドは全体に湾曲した形状をしており、保持部２６ｃと散水部２６ｄが形成されており、この保持部の側面にシャワーの吐水・止水が行える押ボタン２６ｅが設けられていた。
（たとえば、非特許文献１を参照のこと）
【０００３】
また別の従来技術としては、図１３に示すシャワーヘッド保持部を有した水栓金具の実施例がある。
その構成は、水栓本体１３１とハンドル１３２との間に、シャワーヘッド係止用の差込部１３３ａを有する成形片１３３が、本体軸方向に対して回動不能に固定されている。
（たとえば、特許文献１を参照のこと）
【０００４】
さらに別の従来技術としては、図１４に示す例がある。
その構成は、水栓本体１４１に水平位置からほぼ垂直位置に回動可能な回動突部１４２が設けられ、回動突部の内側に収納されたシャワーホース１４３ａと、シャワーホース先端に接続されたシャワー体１４３ｂで構成され、シャワー体が回動突部先端に着脱可能に差し込めることを特徴としている。
（たとえば、特許文献２を参照のこと）
【０００５】
【特許文献１】
特開平５−２１４７５０号公報
【特許文献２】
実開平６−１４６９号公報
【非特許文献１】
ＴＯＴＯ　総合カタログ２００２〜２００３年版　Ｐ．６７８〜６８５
【０００６】
【発明が解決しようとする課題】
従来の水栓金具、例えば図１０に示される例では、使用者がシャワーを浴びる際には、温調機構部２３を操作して所望の吐水温度を選択し、吐水切替部２４を操作してシャワー側に選択した後、シャワーヘッド保持部２６ｃにある押ボタン２６ｅを押してシャワーヘッドより吐水させる、という一連の動作が必要であった。
【０００７】
また例えば図１２のように、使用者が座位にてシャワーを浴びる場合には、通常、使用者は水栓本体に向かってほぼ正面に座り、シャワーヘッド２６ｂを水栓本体付近の壁に固定されたシャワーハンガー２７ａにシャワーヘッドを係止させ、必要に応じて、手を伸ばしてシャワーハンガー２７ａよりシャワーヘッド２６ｂを取外して手に取って使用しており、使用者の体格や浴室内のレイアウトによってはシャワーハンガーに手が届きにくく、使いづらい場合があった。
【０００８】
さらに使用者は、必ず吐水切替部２４を操作してカラン吐水・シャワー吐水のどちらかを選択する必要があり、また例えばカランまたはシャワーの吐水量を調節する際には吐水切替部２４を、シャワーの吐水・止水を行う際には吐水切替部２４か押ボタン２６ｅのいずれかを操作しなければならず、複雑な操作が必要なばかりでなく、押ボタン２６ｅが開の状態のまま不意に吐水切替部２４に触れてしまった場合などには、急にシャワーを浴びてしまうことなどがあり、温調機構部２３を高温あるいは冷水に設定しておいた場合などを考えると危険であった。
【０００９】
また製造面からも、水栓本体にはカラン２５およびシャワーホース２６ａ・シャワーヘッド２６ｂ・シャワーハンガー２７ａおよび２７ｂ、更に吐水切替部２４を取付けなければならず、コストがかかる上に、意匠面からも、複雑な外観となってしまい、凹凸が多く清掃しにくい、等の問題もあった。
【００１０】
そして、従来のシャワーヘッド２６ｂにおいては、保持部２６ｃの側面に押ボタン２６ｅが配置されているので、シャワーハンガー２７ａ・２７ｂにシャワーヘッドを引っ掛けた状態で押ボタンを操作する場合、前方から押ボタン２６ｅを押さなければならない。
しかしながら、シャワーヘッドが湾曲しているため、必ずしも押ボタンは前方に向いているとは限らず、シャワーハンガーに引っ掛けた状態では、操作性が悪かった。
そのため、手でシャワーハンガーを持ったときにしか押ボタンを利用できなかった。
【００１１】
図１３に示すシャワーヘッド保持部を有した水栓金具の実施例においては、シャワーヘッド係止用の差込部１３３ａを有する成形片１３３が、本体軸方向に対して回動不能に固定されているため、水栓本体にシャワーヘッド１３４を係止できるが、シャワーの吐水・止水は本体に設けたハンドル１３２で行わなければならず、またシャワーヘッド保持部は水栓本体１３１に回動不能に固定されており、シャワーヘッドを係止させるためのみにしか使用できなかった。
【００１２】
別の従来技術として図１４に示す例では、シャワーホース１４３ａが回動突部１４２の内側に収納される構造であるが、通常、浴室用の水栓金具に用いられるシャワーホースは、立位でのシャワー浴や、浴室内の掃除に用いるため、１０００ｍｍ以上の長さが必要であり、そのシャワーホースを収納するためには、回動突部１４２を大きくあるいは長くする必要があるため、浴室用水栓金具としては実施困難であった。
【００１３】
そこで、本発明では以上の問題点を解決し、比較的安価でシンプルな構成で、簡便な操作で使用できる、使い勝手の良い水栓金具を提供することを目的とする。
【００１４】
【課題を解決するための手段】
本発明の請求項１では、水接続脚および湯接続脚と、水接続脚および湯接続脚に接続された本体と、その一端に配置されて本体内部に流入する湯と水とを所望の温度に混合するための温調機構部と、温調機構部で混合された湯水混合水を吐出するためのシャワーホースおよび手持ち式シャワーヘッドを有する、浴室用の壁付タイプの水栓金具において、
本体のもう一端に前記シャワーヘッドを係止するための保持部を有し、且つ、前記保持部は、本体に対して回動可能に連結され、シャワーヘッドを概垂直位置から概水平位置まで所望の位置に調節できるようにした。
【００１５】
水栓本体に回動可能な保持部が設けられることで、使用者は座位の姿勢でも、壁に固定されたシャワーハンガーに手を伸ばす必要が無く、正面の水栓本体に設けられた保持部にシャワーヘッドを係止させることができるため、使い勝手が向上するだけでなく、従来の水栓金具に付属されていたシャワーハンガーも、座位の姿勢で使用されたシャワーハンガーが不要となる。さらに、保持部を本体に対して回動可能に操作でき、シャワーヘッドを概垂直位置から概水平位置まで所望の位置に調節できるため、洗い桶等へ吐水を溜める際にも、シャワーヘッドを保持部に係止したまま概水平位置まで回動させることによってシャワー吐水のまま溜めることができるため、別途水栓本体にカランを設ける必要が無い。以上により、従来の水栓金具と比較して、座位用のシャワーハンガー、カランが不要となり、生産コストを低減しながらも使い勝手を向上させることができ、さらに水栓本体の凹凸も少なくできることから、意匠性・清掃性も向上させることができる。
【００１６】
本発明の請求項２では、上記請求項１のシャワーヘッドに、湯水混合水の流路を備えた保持部と、保持部の流路に連通された複数の散水孔を側面に有する散水部と、保持部と散水部の間に設けた開閉弁と、この開閉弁を操作する押ボタンとを設け、散水部の一端部に開閉弁を介在させて保持部を接続し，散水部の他端部に押ボタンを設け、さらにこの押ボタンに連動して動き、開閉弁の開閉作動を行う軸を散水部内に配置したことを特徴とする請求項１に記載の水栓金具とした。
【００１７】
シャワーヘッドに押ボタンによる開閉機構を設けたことにより、シャワーヘッドを水栓本体に設けた保持部および壁面に取付けたシャワーハンガーに係止させた状態で、上方に位置する押ボタンを上から押すだけで吐水・止水をすることができる。そのため、シャワーヘッドを係止させた状態でも押ボタンを操作させやすい。また、従来のように親指でしか押ボタンを操作できなかったシャワーヘッドに比べて、本発明のシャワーヘッドにおいては、身体の各部位あるいは周囲のものに押し付けることで押ボタンの開閉が可能となり、操作方法が広がる。
さらに、水栓金具全体で見た場合にも、吐水・止水は必ずシャワーヘッドに設けた
押ボタン一箇所のみを操作するだけで良いので、従来のように吐水切替部を操作して、カラン吐水かシャワー吐水かを選択する必要が無くなり、操作も分かりやすくできる。
【００１８】
本発明の請求項３では、前記開閉弁は、弁体と、この弁体が着座または離座する弁座とこの弁体を弁座に着座する方向に付勢する弾性体と、を備え、この弁体が散水部側に向きさらに弾性体によって付勢されて配置され、さらに、前記押ボタンを押すことで、前記軸が弾性体の付勢力に打ち勝って弁体を押して弁体を弁座から離座させて通水開口を開とし、再度押ボタンを押すことで、軸によって弁体を押す力を解除して弾性体の付勢力によって弁体を弁座に着座させて通水開口を閉とすることを特徴とする請求項２に記載の水栓金具とした。
【００１９】
このように構成することで、押ボタンの操作を開閉弁に伝達させるために複雑な機構を必要としない。つまり、押ボタンを押す方向と開閉弁を開く方向とが同軸上に配置することができるため、押ボタンの操作を開閉弁に伝達する軸は、まっすぐな棒形状として直線上に配置すればよいのである。
また、このように通水路に対して本発明のように開閉弁を配置することで、開閉弁を介在させても散水部までの通水経路を略直線上に形成することができ、通水路が入り組んで複雑になることもないため、安価に製造できるとともに、シャワーヘッド自体をコンパクトにして軽量化を図ることができる。
そして、水栓本体に設けた保持部やシャワーハンガーにシャワーヘッドを係止させた状態で、上方に位置する押ボタンを上から押すだけで吐水・止水をすることができる。そのため、水栓本体の保持部やシャワーハンガーにシャワーヘッドを係止させた状態でも押ボタンを操作させ易い。また、身体の各部位あるいは周囲のものに押し付けることで押ボタンの開閉が可能となり、操作方法が広がる。
【００２０】
本発明の請求項４では、前記軸は、押ボタン側に配置される上側軸と開閉弁側に配置される下側軸とを螺合結合して構成され、
さらに、上側軸は押ボタンに連動され、押ボタンを押すことによって生じる上下運動と押ボタンを回転させることによって生じる回転運動とに連動するとともに、
下側軸は、上側軸の上下運動のみに連動することを特徴とする請求項２または３に記載の水栓金具とした。
【００２１】
このように構成することで、押ボタンを押すことで、上側軸と下側軸とを押し下げて開閉弁を開状態にすることができる。また、再度押ボタンを押すことで、上側軸と下側軸とによる押し下げ力が解除されて、開閉弁を閉状態にすることができる。
さらに、押ボタンを回転させることで、上側軸が押ボタンに連動して回転し、上側軸に螺合結合された下側軸が回転せずに軸方向に対して進退する。そのため、下側軸が開閉弁を押す距離を可変させることができる。つまり、弁体が弁座から離座する距離を変えることで通水開口の面積を可変させることができる。
したがって、押ボタンを操作することで吐水・止水だけでなく流量調整も可能となる。
このように、流量調整機能を備えたシャワーヘッドを持つ水栓金具とすることで、より使用勝手が向上する。
【００２２】
本発明の請求項５では、前記シャワーヘッドは、湯水混合水の流路を備えた保持部と、保持部の流路に連通された複数の散水孔を側面に有する散水部と、保持部と散水部の間に設けた開閉弁と、この開閉弁を操作する開閉ツマミとを備えたシャワーヘッドであって、散水部の一端部に開閉弁を介在させて保持部を接続されており，散水部の他端部に開閉ツマミを設け、さらにこの開閉ツマミに連動して動き、開閉弁の開閉作動を行う軸を散水部内に配置したことを特徴とする請求項１に記載の水栓金具とした。
【００２３】
この例は、請求項２至４で述べた押ボタンによるシャワーの吐水・止水の代わりに、開閉ツマミを操作することによって、シャワーの吐水・止水が出来るようにした例である。このように構成することで、開閉ツマミを回動操作するだけでシャワーの吐水・止水は勿論、流量調整も可能となる。
【００２４】
本発明の請求項６では、前記開閉弁は、弁体と、この弁体が着座または離座する弁座と、前記開閉ツマミを備え、更に前記開閉ツマミには一体状に前記軸が設けられ、軸と弁体とを螺合結合し、開閉ツマミを回動させることによって生じる回転運動を、弁座を弁体に着座あるいは離座させる上下運動に変換し、通水開閉口を開閉させることを特徴とする請求項５に記載の水栓金具とした。
【００２５】
このように構成することで、開閉ツマミを回動させることで、上側軸が押ボタンに連動して回転し、上側軸に螺合結合された下側軸が回転せずに軸方向に対して進退する。そのため、下側軸が開閉弁と弁座との間の距離を可変させることができる。　したがって、開閉ツマミを回動操作することで吐水・止水だけでなく流量調整も可能となる。また、このように構成することで、弁体の開閉構造も簡略化でき、更に安価にすることができる。
【００２６】
本発明の請求項７では、前記保持部を、本体に対して回動可能に連結し、シャワーヘッドを概垂直位置から概水平位置まで所望の位置に調節できることで、シャワーヘッドをカランの代わりとして使用できるようにしたことを特徴とする上記請求項１至６のいずれか１つに記載の水栓金具とした。
【００２７】
上記の構成により、前記保持部にシャワーヘッドを係止し、シャワーヘッドを概垂直位置から概水平位置まで所望の位置に調節できるため、例えば洗い桶に湯を溜める際には、前記シャワーヘッドを前記保持部に係止させたまま概水平位置まで倒せばよい。これによりシャワー吐水のままカラン吐水を兼用できるため、本体にカランを設ける必要がなくなるだけでなく、請求項２至６に記載の開閉機構部を設けたシャワーヘッドと組み合わせることで、使用者はシャワーヘッドに設けた押ボタンあるいは開閉ツマミの一箇所のみを操作するだけでよく、またシャワーヘッドを前記保持部に係止させたまま概水平位置まで倒した時には、従来のように吐水切替部を操作する場合と比較して、操作部が使用者に近い位置になるため、より操作性が向上し、使い勝手が広がる。
【００２８】
【発明の実施の形態】
以上説明した本発明の構成・作用を一層明らかにするために、以下本発明の好適な実施例について説明する。
【００２９】
図１に本発明の水栓金具の具体的な実施例を示す。
水接続脚１ａおよび湯接続脚１ｂと、水接続脚および湯接続脚に接続された本体２と、その一端に配置されて本体内部に流入する湯と水とを所望の温度に混合するためのサーモスタットあるいはミキシング方式による温調機構部３と、温調機構部３で混合された湯水混合水を吐出するためのシャワーホース４ａおよび手持ち式シャワーヘッド４ｂを有する、浴室用の壁付タイプの水栓金具において、本体のもう一端に前記シャワーヘッドを係止するための保持部５を有し、且つ、前記保持部は、水栓本体の横軸に対して回動可能に連結され、シャワーヘッドを概垂直位置から概水平位置まで所望の位置に調節できるようにしている。
【００３０】
図２にさらに詳細の構造を示す。図２は、図１の水栓本体を中心軸で縦方向に切断した断面である。本体２の一方に温調機構部３をナットなどの固定部品１０にて固定し、温調機構部３の先端先端に配置され、湯水の混合比を調節し所望の吐水温度を得るためのスピンドル３ｂにはねじ等の固定部品１３により温度調節用ハンドル３ａが取付けられる。本体２の他端には固定部品１０にて、軸８が固定されている。軸８には本体挿入部８ｂの外周面に環状溝部８ｃを設け、パッキン８ａを取付けて、漏水を防止する構造とした。軸８の先端には回動用のブッシュ９を連通し、軸８の先端に設けた環状溝部８ｄに止め輪１１を取付けて、ブッシュ９の脱落を防止する。さらに、ブッシュ９の外周に保持部５を取付ける。
保持部５の外周面には、中心軸と垂直方向にに貫通した固定用のねじ孔５ｂを開け、ねじ孔５ｂより固定ねじ１２をねじ込み、ブッシュ９と一体状に固定される。
【００３１】
図３は、上記水栓をＡ部にて切断した断面図である。軸８の外周面には半環状の切欠き部８ｅを設けている。回動用ブッシュ９の内周面にはリブ状のストッパー
９ａを設け、上記切り欠部８ｅの範囲を摺動する構造とする。これにより切り欠部８ｅとストッパー９ａによって形成される隙間の範囲が、保持部５の回動範囲すなわち図３中に記した回動角度θとなる。
【００３２】
さらに本発明では、軸８の外周より孔８ｆを設け、その中にばね１３、ボール１４を配置した。保持部５の内周部には、係合用の凹部５ｃを配し、ばね１３の反発力によるクリック感が得られる構造とした。これにより、例えば数ヶ所（図３では、Ｐ１、Ｐ２、Ｐ３の位置）配置することで、保持部５の回動範囲内に数ヶ所のクリック感を得ることができ、使用者が所望の角度を得る際の目安と出来るようにした。
【００３３】
これにより、例えば図４に示すように、使用者が座位の姿勢でシャワーを浴びる場合においても、水栓本体に回動可能な保持部が設けられることで、使用者は座位の姿勢でも、壁に固定されたシャワーハンガーに手を伸ばす必要が無く、正面の水栓の本体２に設けられた保持部５にシャワーヘッド４ｂを係止させることができるため、使い勝手が向上するだけでなく、従来の水栓金具に付属されていたシャワーハンガーも、座位の姿勢で使用されたシャワーハンガー２７ａが不要となる。さらに、保持部を本体の横軸に対して回動可能に操作でき、シャワーヘッドを概垂直位置から概水平位置まで所望の位置に調節できるため、例えば洗い桶７へ吐水を溜める際にも、シャワーヘッド４ｂを保持５部に係止したまま概水平位置まで回動させることによってシャワー吐水のまま溜めることができるため、別途水栓本体にカランを設ける必要が無い。以上により、従来の水栓金具と比較して、座位用のシャワーハンガー、カランが不要となり、生産コストを低減しながらも使い勝手を向上させることができ、さらに水栓本体の凹凸も少なくできることから、意匠性・清掃性も向上させることができるものである。
【００３４】
図５及び図６に、本発明の水栓金具に用いるシャワーヘッドの具体的な実施例を示す。
本発明の水栓金具に用いるシャワーヘッド４ｂには、湯水流入口と湯水混合水の流路を備えた保持部４１ａと、保持部の流路に連通された複数の散水孔４１ｃを側面に有する散水部４１ｂと、保持部４１ａと散水部４１ｂの間に設けた開閉弁４２と、この開閉弁を操作する押ボタン４３とを設け、散水部４１ｂの一端部に開閉弁４２を介在させて保持部４１ａを接続し，散水部４１ｂの他端部に押ボタン４３を設け、さらにこの押ボタン４３に連動して動き、開閉弁４２の開閉作動を行う軸４４を散水部内に配置している。
そして、押ボタン４３の操作を、この軸４４を介在させて開閉弁４２の開閉作動を行う。
【００３５】
シャワーヘッドに押ボタンによる開閉機構を設けたことにより、シャワーヘッドを水栓本体に設けた保持部および壁面に取付けたシャワーハンガーに係止させた状態で、上方に位置する押ボタンを上から押すだけで吐水・止水をすることができる。そのため、シャワーヘッドを係止させた状態でも押ボタンを操作させやすい。また、従来のように親指でしか押ボタンを操作できなかったシャワーヘッドに比べて、本発明のシャワーヘッドにおいては、身体の各部位あるいは周囲のものに押し付けることで押ボタンの開閉が可能となり、操作方法が広がる。
さらに、水栓金具全体で見た場合にも、吐水・止水は必ずシャワーヘッドに設けた押ボタン一箇所のみを操作するだけで良いので、従来のように吐水切替部を操作して、カラン吐水かシャワー吐水かを選択する必要が無くなり、操作も分かりやすくできる。また、不意にシャワーを浴びてしまうこともないため、安全に使用できる。
【００３６】
引き続き図５、図６及び図７に基づき、本発明におけるシャワーヘッドの押ボタンによる開閉構造について説明する。
図５に基づき、シャワーヘッド４ｂの外観について説明する。
シャワーヘッド４ｂは、Ｉ字型の略柱形状をしている。
そして、シャワーヘッド４ｂは、手で持つ保持部４１ａと、側面に複数の散水孔４１ｃを形成した散水部４１ｂとを備えている。
また、シャワーヘッド４ｂの一端には継手４５を介してシャワーホース（図示せず）を接続し、他端には散水孔４１ｃからの吐水・止水を操作する押ボタン４３が設けられている。
なお、散水孔４１ｃの領域を除き、めっきなどの表面処理を施した外カバー４６にてシャワーヘッド４ｂ（散水部４１ｂの一部と保持部４１ａ）を覆っている。
【００３７】
次に、図６に基づき、シャワーヘッド４ｂの内部構造について説明する。
本発明のシャワーヘッド４ｂは、湯水流入口部４７ａを有するシャワーヘッド本体４７と、複数の散水孔４１ｃを有する散水管４７ｂと、押ボタン４３と、この押ボタン４３で吐水・止水を行う開閉弁４２から主に構成されている。
【００３８】
各構成部品の具体的な構造ならびに各構成部品の相互関係について以下に説明する。シャワーヘッド本体４７は、Ｉ字型の略柱形状をしており、シャワーヘッド４ａの保持部４１ａの内部に位置する。
そして、シャワーヘッド本体４７の一端には、水栓（図示せず）からシャワーホースを介して湯水が供給される湯水流入口部４７ａを具備し、他端には、Ｏリングなどのパッキン４８を介して散水管４７ｂを螺着するねじ部４９とを具備している。
【００３９】
散水管４７ｂは、Ｉ字型の略柱形状をしており、側面に散水部４１ｂを形成し、この散水部４１ｂ以外は外カバー４６で覆われている。なお、外カバー４６の表面と散水部４１ｂの表面を略同一面となるように形成している。
そして、散水孔４１ｃがこの散水管４７ｂ（散水部４１ｂ）の側面の長手方向に複数設けられている。
【００４０】
シャワーヘッド本体４ｂの内部には吐水・止水を制御する開閉弁４２が装着されている。
この開閉弁４２は、図６・７に示すように、主弁５３・弁座５２・ばねなどの弾性体５４・弁体５５・カバー５６及びＯリングなどのパッキン５０、５１から構成されている。
さらにこの開閉弁４２の具体的な構成を以下で説明する。
弁体５５とカバー５６とを係止して結合することにより、略筒形状をした開閉弁４２の外部を形成する。
そして、この弁体５５には、弁座５２を形成し、さらに、この弁座５２の中央に通水開口５５ａを形成している。
さらに、主弁５３が、この通水開口５５ａを開閉するために弁座５２に着座・離座するように、ばねなどの弾性体５４にて着座する方向に付勢されながら開閉弁４２内を軸方向にスライド可能に配置されている。
つまり、カバー５６内にスライドガイド５６ｂが形成されており、このスライドガイド５６ｂに主弁５３がＯリングなどのパッキン５１を介在させて設けられ、さらにこのスライドガイド５６ｂと主弁５３との間にばねなどの弾性体５４が配置されている。
なお、カバー５６には、通水開口５６ａが設けられている。
そして、この開閉弁４２は、シャワーヘッド本体４７のねじ部４９側の内部にＯリングなどのパッキン５０を介して装着されて、さらに、散水管４７ｂをこのねじ部４９に螺合することでシャワーヘッド本体内に固定される。
なお、弁体５５が散水管４７ｂ側に位置し、カバー５６がシャワーヘッド本体４７に位置するように（湯水流入口部４７ａ側に向くように）、開閉弁４２をシャワーヘッド本体４７内に配置する。
そして、主弁５３は、弁体５５の弁座５２に着座して止水するように、ばねなどの弾性体５４によって散水管４７ｂ方向（つまり下流方向）に付勢されているのである。
【００４１】
次に、この開閉弁４２の開閉を押ボタン４３にて操作するための内部構造を図７に基づき説明する。
開閉弁４２の作動を介助するものとして軸４４が散水管４７ｂと軸ガイド５７を貫通するように配置されている。
なお、軸ガイド５７は、Ｏリングなどのパッキン５８を介して散水管４７ｂの端部に装着され、さらに、この軸ガイド５７の軸方向にＯリングなどのパッキン５９を介し押ボタン４３を装着している。
そして、軸４４は、軸ガイド５７内に配置した押ボタン４３と直列に連動するように配している。さらに、開閉弁４２の主弁５３に凹部５３ａを形成し、この凹部５３ａに軸４４を挿入している。
そのため、押ボタン４３を操作することで、軸４４を介し開閉弁４２を作動して開閉するように構成されている。
【００４２】
つまり、押ボタン４３を押すことにより、押ボタン４３と連動した軸４４が弾性体５４の付勢に逆らい主弁５３を押し下げて、図７に示すように、通水開口５５ａを開き、散水孔４１ｃからシャワー吐水することになる。この時押ボタン４３はロックされ、通水状態を保つことが可能となる。
なお、このロック機構は、図１１に示す従来のシャワーヘッドに用いた押ボタンのロック機構と同様のため、図５・６中の詳細図と説明を省略する。
【００４３】
そして、再度押ボタン４３を押すと、押ボタンのロックが解除され弾性体５４の復元する力により、図７に示すように、主５３が付勢され弁座５２に着座して通水開口５５ａを塞ぎ、散水孔３からシャワー吐水を閉止することになる。
【００４４】
以上のように構成することで、押ボタンの操作を開閉弁に伝達させるために複雑な機構を必要としない。つまり、押ボタンを押す方向と開閉弁を開く方向とが同軸上に配置することができるため、押ボタンの操作を開閉弁に伝達する軸は、まっすぐな棒形状として直線上に配置すればよいのである。
また、このように通水路に対して本発明のように開閉弁を配置することで、開閉弁を介在させても散水部までの通水経路を略直線上に形成することができ、通水路が入り組んで複雑になることもないため、安価に製造できるとともに、シャワーヘッドをコンパクトにして軽量化を図ることができる。
そして、水栓本体２に設けた保持部５やシャワーハンガー６にシャワーヘッド４ｂを係止させた状態で、上方に位置する押ボタン４３を上から押すだけで吐水・止水をすることができる。そのため、水栓本体２の保持部５やシャワーハンガー６にシャワーヘッド４ｂを係止させた状態でも押ボタン４３を操作させ易い。また、身体の各部位あるいは周囲のものに押し付けることで押ボタンの開閉が可能となり、操作方法が広がる。
さらに、押ボタン４３を上から押すということは、シャワーヘッド４ｂが水栓本体の保持部５やシャワーハンガー６にしっかりと保持される方向に押すことになるので、押ボタン４３を操作したときにシャワーヘッド４ｂが水栓本体の保持部５やシャワーハンガー６から外れることがない。さらには、上から押すだけでよいため、保持する向きが変わって散水方向が変わることがない。
【００４５】
次にシャワーヘッド４ｂに対して、吐水・止水の開閉操作だけでなく、流量調整の機能を備えた実施例を図８に基づき説明する。
なお、図６と同様の構成については説明を省略する。
図８に示すように、軸４４を２部品で構成することによって、流量調整が可能な構造をもつことが可能となる。つまり、図６の軸４４を、図８に示すように上側軸４４ａと下側軸４４ｂによって構成すればよい。
具体的には、開閉弁４２側に配置される下側軸４４ｂは片側にねじ部６０を具備している。
さらに、この下側軸４４ｂにスリット６１を形成して、開閉弁４２の近傍に形成したガイド部６２にそのスリット６１を通して、下側軸４４ｂが回転させずにガイド部６２に沿ってスライドするようにしている。
そして、押ボタン４３側に配置される上側軸４４ａには下側軸４４ｂのねじ部６０と螺着可能なねじ部６３が具備されている。
さらに、押ボタン４３は、ボタン部の上下運動とともに、回転可能な構造とする。
また、図８（Ｂ）は、図８（Ａ）のシャワーヘッドの押ボタン４３側から見た平面図を縮小した図である。このように押ボタン４３の先端部は、図８（Ｂ）に示すように、例えば平面視円形状とせずに一部円弧をカットして（カットした部分４３ａ）、平面視略Ｄ字形状のようにしておくことで、指が係り易く、押ボタン４３を容易に回転させることができる。そして、上側軸４４ａと組み合わされることにより、確実に下側軸４４ｂに回転運動を伝達して流量調整することが可能となる。
以上の構成として、押ボタン４３を回転させると、上側軸４４ａのみが回転し（下側軸４４ｂはスリット６１によって回転しない）、ねじ部６０、６３同士がねじ回しされて進退して、主弁５３を押す距離を調整することができるのである。
つまり、図７に示すように、押ボタン４３を押し、バルブを開状態でロックしたあと押ボタンを回転させると、軸の全長が伸縮し弁体５３の開口面積ｂを変化させることができるので、吐水量の調整が可能となる。
【００４６】
次に外カバー４６について説明する。
螺着された散水管４１ｂ及びシャワーヘッド本体４７の外周部には散水孔４１ｃ以外の全てを覆うように外カバー４６が装備されている。
そして、この外カバー４６は、めっきや塗装が施せる材料で作成されることが望ましい。
また、外カバー４６に彩色を施すことにより、意匠性の向上を図ることが可能になる。
特に、本発明のようにめっきや塗装を施した外カバー４６を別体で着脱自在に設けることで、使用者の好みに応じて、安価に外観の色彩を選択することができる。
【００４７】
また、めっきや塗装を施した外カバー４６は、シャワーヘッド４ｂの通水路４７ｃとは別体にて構成されているため、従来のように、通水路４７ｃにめっきや塗装が付着しないように、マスキングのためのめっき付着防止用塞ぎ蓋やマスキング剤の塗布という工程や付着しためっきや塗装を除去する工程が不要となり、安価に部品を製作することが可能である。
また、通水路４７ｃと外カバー４６の間に空気層を持つことも可能となり、断熱効果が狙える利点もある。
【００４８】
更に、シャワーヘッド４ｂに対して、押ボタンによる開閉機構の代わりに、開閉ツマミによる吐水・止水および流調機構を搭載した例を図９に示す。
なお、図５・７と同様の構成については説明を省略する。
図８の上側軸４４ａを開閉ボタン４３と一体に、下側軸４４ｂを主弁５３と一体に構成し、図９に示すように開閉ツマミ７０と下側軸４４ｂ、開閉弁７１とで構成すればよい。
具体的には、開閉弁７１側に配置される下側軸４４ｂを止めねじ等の固定部品７２とで一体的に構成する。
そして、開閉ツマミ７０側の軸部７０ａの先端には下側軸４４ｂのねじ部６０と螺着可能なねじ部７０ｂが具備されている。
さらに、開閉ツマミ７０は、回転可能な構造とする。
また、図９（Ｂ）は、図９（Ａ）のシャワーヘッドの開閉ツマミ７０側から見た平面図を縮小した図である。このように開閉ツマミ７０の先端部は、図９（Ｂ）に示すように、例えば平面視円形状とせずに一部円弧をカットして（カットした部分７０ｃ）、平面視略Ｄ字形状のようにしておくことで、指が係り易く、開閉ツマミ７０を容易に回転させることができる。そして、確実に下側軸４４ｂと、さらに下側軸に一体化された開閉弁７１に回転運動を伝達し、開閉弁７１を回転させるとともに、弁座５２に着座・離座させて吐水・止水および流量調整することが可能となる。
以上の構成として、開閉ツマミ７０を回転させると、ねじ部６０、６３同士がねじ回しされて進退して、下側軸４４ｂおよび開閉弁７１が回転し、開閉弁７１を弁座５２に着座・離座させて吐水・止水および流量調整することが可能となる。
さらに、開閉弁７１自体も、図７のような複雑な部品構成を必要とせず、つまり図７における主弁５３自体が、開閉ツマミ７０の回転操作を受けて上下に稼動すれば良いので、弁体５５やカバー５６などを散水部４１ｂや散水管４７ｂと一体とすることができ、弾性体５４等も必要としないので部品点数を削減し、さらに簡略化した構造とすることができる。
【００４９】
なお、上記の例においてはシャワーヘッドの保持部である継手４５に係合用の凸部４５ａを設け、図９（ｃ）に示すように水栓本体の保持部５、および図９（ｄ）に示すシャワーハンガー６にも、係合用の溝部５ａおよび６ａを設けた。
シャワーヘッド４ｂを水栓本体の保持部５および壁に取付けたシャワーハンガー６に係止する際、継手４５に設けた凸部４５ａを溝部５ａおよび６ａに係合させることで、開閉ツマミ７０を回転させてもシャワーヘッド４ｂが回転せず、常に散水部４１ｂの向きが一定される効果を狙ったものである。
【００５０】
以上に例示したように構成することで、図１・４に示すようにシャワーヘッド４ｂを本体２に対して回動可能に連結し、シャワーヘッド４ｂを概垂直位置から概水平位置までの所望の位置に調節できるため、シャワーヘッド４ｂはカランとしての用途も兼ねることができる。即ち、カランとして使用する際には、図４に示す通りシャワーヘッドを概水平位置まで倒すだけで良いのである。またカラン吐水の開閉も、シャワー吐水と同じように、図５・６・８・９で示した押ボタン４３または開閉ツマミ７０で行うことができ、簡便な操作で済むだけでなく、従来のように本体に連結された吐水切替部を操作する場合よりも、押ボタン４３または開閉ツマミ７０が使用者に近い位置になるため、更に操作性が向上することを狙ったものである。
【発明の効果】
本発明により得られる効果を下記に示す。
浴室用の手持式シャワーヘッドを有する水栓金具において、水栓金具本体にシャワーヘッドを係止するための回動可能な保持部を有し、シャワーヘッドを概垂直位置から概水平位置まで所望の位置に調節できるようにしたことで、使用者にとって近い箇所にシャワーヘッドを係止でき、また係止したまま回動させることでカランの代わりとして洗い桶等への水汲みにも使える水栓金具本体と、前記保持部やシャワーハンガーに係止させたままでも吐水・止水あるいは流調が行えるシャワーヘッドを有した、簡便な操作で使用でき、また操作方法も広がる、使い勝手の良い水栓金具を提供することができる。
【図面の簡単な説明】
【図１】本件発明の一実施の形態である水栓金具の外観斜視図を示す。
【図２】図１に示す本件発明の一実施の形態の断面図を示す。
【図３】図１に示す本件発明の一実施の形態のハンガー部の断面図を示す。
【図４】本件発明の一実施の形態の使用状態を示す。
【図５】本件発明の一実施例に用いるシャワーヘッドの外観斜視図を示す。
【図６】図５に示すシャワーヘッドの断面図を示す。
【図７】図５に示すシャワーヘッドの開閉弁の内部断面図を示す。
【図８】本件発明の他の実施例に用いるシャワーヘッドの断面図を示す。
【図９】本件発明の他の実施例に用いるシャワーヘッドの断面図を示す。
【図１０】従来の浴室用水栓金具の外観斜視図を示す。
【図１１】従来の浴室用水栓金具に使用されるシャワーヘッドの側面図を示す。
【図１２】従来の浴室用水栓金具の使用状態を示す。
【図１３】特許文献１に示される従来の浴室用水栓金具の外観斜視図を示す。
【図１４】特許文献２に示される従来の浴室用水栓金具の外観斜視図を示す。
【符号の説明】
１ａ・・水接続脚
１ｂ・・湯接続脚
２　・・本体
３　・・温調機構部
４ａ・・シャワーホース
４ｂ・・シャワーヘッド
５　・・保持部
５ａ・・係合溝部
５ｂ・・ねじ孔
５ｃ・・凹部
６　・・シャワーハンガー
６ａ・・係合溝部
７　・・洗い桶
８　・・軸
８ａ・・パッキン
８ｂ・・本体挿入部
８ｃ・・環状溝部
８ｄ・・環状溝部
８ｅ・・切欠き部
８ｆ・・孔
９　・・ブッシュ
９ａ・・ストッパー
１１　・・止め輪
１２　・・固定ねじ
１３　・・ばね
１４　・・ボール
２１ａ・・水接続脚
２１ｂ・・湯接続脚
２２　・・本体
２３　・・温調機構部
２４　・・吐水切替部
２５　・・カラン
２６ａ・・シャワーホース
２６ｂ・・シャワーヘッド
２６ｃ・・保持部
２６ｄ・・散水部
２６ｅ・・押ボタン
２７ａ・・シャワーハンガー（座位用）
２７ｂ・・シャワーハンガー（立位用）
４１ａ・・保持部
４１ｂ・・散水部
４１ｃ・・散水孔
４２　・・開閉弁
４３　・・押ボタン
４４　・・軸
４４ａ・・上側軸
４４ｂ・・下側軸
４５　・・継手
４５ａ・・凸部
４６　・・外カバー
４７　・・シャワーヘッド本体
４７ａ・・湯水流入口部
４７ｂ・・散水管
４７ｃ・・通水路
４８　・・パッキン
４９　・・ねじ部
５０　・・パッキン
５１　・・パッキン
５２　・・弁座
５３　・・主弁
５３ａ・・凹部
５４　・・弾性体
５５　・・弁体
５５ａ・・通水開口
５６　・・カバー
５６ａ・・通水開口
５６ｂ・・スライドガイド
５７　・・軸ガイド
５８　・・パッキン
５９　・・パッキン
６０　・・ねじ部
６１　・・スリット
６２　・・ガイド部
６３　・・ねじ部
７０　・・開閉ツマミ
７０ａ・・軸部
７０ｂ・・ねじ部
７０ｃ・・カット部
７１　・・開閉弁
７２　・・固定部品
１３１　・・本体
１３２　・・ハンドル
１３３　・・成形片
１３３ａ・・差込部
１４１　・・本体
１４２　・・回動突部
１４３ａ・・シャワーホース
１４３ｂ・・シャワーヘッド
【図１】
2004131976.tif 000003
【図２】
2004131976.tif 000004
【図３】
2004131976.tif 000005
【図４】
2004131976.tif 000006
【図５】
2004131976.tif 000007
【図６】
2004131976.tif 000008
【図７】
2004131976.tif 000009
【図８】
2004131976.tif 000010
【図９】
2004131976.tif 000011
【図１０】
2004131976.tif 000012
【図１１】
2004131976.tif 000013
【図１２】
2004131976.tif 000014
【図１３】
2004131976.tif 000015
【図１４】
2004131976.tif 000016